(57)【要約】【課題】エアバッグの膨張展開状態でフードの車両後方への移動を抑制することができる歩行者保護エアバッグ装置を得る。【解決手段】歩行者保護エアバッグ装置１０は、フード１６の後端部１６Ａの下面に配設されたエアバッグケース２４と、エアバッグケース２４内に収納され、インフレータ２６が発生させるガスの圧力で車両後方側へ膨張展開されると共に、膨張展開状態でウインドシールドガラス３０の下部３０Ａの前面を覆う中央バッグ部３４Ａ及び左右一対のフロントピラー３１の少なくとも下部の前面を覆う側方バッグ部３４Ｂを備えたエアバッグ３４と、膨張展開状態の側方バッグ部３４Ｂにおけるフード１６の後端角部３８と車両後方に対向する部位に設けられ、後端角部３８と係合する又は係合可能に構成されたフード係合部３２と、を有する。【選択図】図１
2015214310.tif 000002
【特許請求の範囲】
【請求項１】
フードの後端部の下面に配設されたエアバッグケースと、
前記エアバッグケース内に収納され、インフレータが発生させるガスの圧力で車両後方側へ膨張展開されると共に、膨張展開状態でウインドシールドガラスの下部の前面を覆う中央バッグ部及び左右一対のフロントピラーの少なくとも下部の前面を覆う側方バッグ部を備えたエアバッグと、
前記膨張展開状態の前記側方バッグ部における前記フードの後端角部と車両後方に対向する部位に設けられ、前記後端角部と係合する又は係合可能に構成されたフード係合部と、
を有する歩行者保護エアバッグ装置。
【請求項２】
前記フード係合部は、前記膨張展開状態で前記側方バッグ部の車両前方側よりも車両後方側が高くなるように形成された段差部である請求項１に記載の歩行者保護エアバッグ装置。
【請求項３】
前記段差部は、前記側方バッグ部の上下を車両前後方向に沿って繋いだテザーによって形成されている請求項２に記載の歩行者保護エアバッグ装置。
【請求項４】
前記フード係合部は、前記膨張展開状態で前記側方バッグ部の上面に固定されたポケットである請求項１に記載の歩行者保護エアバッグ装置。
【発明の詳細な説明】
【技術分野】
【０００１】
本発明は、歩行者保護エアバッグ装置に関する。
【背景技術】
【０００２】
自動車などの車両において、フードの後端部の下面側からエアバッグを膨張展開させて歩行者を保護する歩行者保護エアバッグ装置が知られている。このような歩行者保護エアバッグ装置として、特許文献１には、エンジンフード（フード）の後端部を上昇させるための跳ね上げ手段と、エンジンフードの後端部の下面に配設されたエアバッグ装置とを備えた歩行者保護エアバッグ装置が開示されている。また、特許文献１では、歩行者の衝突予測時又は衝突検出時に、エンジンフードの跳ね上げに同期してエアバッグ装置を跳ね上げつつエアバッグを膨張展開させている。
【先行技術文献】
【特許文献】
【０００３】
【特許文献１】特開２００７−１１２１８３号公報
【発明の概要】
【発明が解決しようとする課題】
【０００４】
ところで、歩行者との衝突などによってエアバッグが膨張展開された状態では、フードの後端部が上昇されているので、この状態で車両が前面衝突した場合、衝突荷重を受けたフードが膨張展開されたエアバッグ上を滑って車両後方側へ移動する可能性がある。特に、斜め衝突やオフセット衝突においては、フードが平面視で回動しながら車両後方へ移動しようとするため、車両後方への移動が顕著である。
【０００５】
本発明は上記事実を考慮し、エアバッグの膨張展開時にフードの車両後方への移動を抑制することができる歩行者保護エアバッグ装置を得ることを目的とする。
【課題を解決するための手段】
【０００６】
請求項１に記載の本発明に係る歩行者保護エアバッグ装置は、フードの後端部の下面に配設されたエアバッグケースと、前記エアバッグケース内に収納され、インフレータが発生させるガスの圧力で車両後方側へ膨張展開されると共に、膨張展開状態でウインドシールドガラスの下部の前面を覆う中央バッグ部及び左右一対のフロントピラーの少なくとも下部の前面を覆う側方バッグ部を備えたエアバッグと、前記膨張展開状態の前記側方バッグ部における前記フードの後端角部と車両後方に対向する部位に設けられ、前記後端角部と係合する又は係合可能に構成されたフード係合部と、を有する。
【０００７】
請求項１に記載の本発明に係る歩行者保護エアバッグ装置では、フード後端部の下面には、エアバッグケースが配設されており、このエアバッグケース内には、中央バッグ部及び側方バッグ部を備えたエアバッグが収納されている。このため、歩行者との衝突などによってインフレータが作動すると、中央バッグ部及び側方バッグ部へガスが供給されて膨張展開される。そして、中央バッグ部によってウインドシールドガラスの下部の前面が覆われ、側方バッグ部によってフロントピラーの少なくとも下部の前面が覆われて歩行者が保護される。
【０００８】
また、側方バッグ部におけるフードの後端角部と車両後方に対向する部位には、フード係合部が設けられており、このフード係合部は、後端角部と係合する又は係合可能に構成されている。これにより、歩行者との衝突に続いて車両が前面衝突した場合、衝突荷重を受けたフードの後端角部をフード係合部に係合させることができる。
【０００９】
請求項２に記載の本発明に係る歩行者保護エアバッグ装置は、請求項１に記載の発明において、前記フード係合部は、前記膨張展開状態で前記側方バッグ部の車両前方側よりも車両後方側が高くなるように形成された段差部である。
【００１０】
請求項２に記載の本発明に係る歩行者保護エアバッグ装置では、エアバッグの膨張展開時に車両が前面衝突した場合、衝突荷重を受けたフードの後端角部を段差部に当接（係合）させることができる。
【００１１】
請求項３に記載の本発明に係る歩行者保護エアバッグ装置は、請求項２に記載の発明において、前記段差部は、前記側方バッグ部の上下を車両前後方向に沿って繋いだテザーによって形成されている。
【００１２】
請求項３に記載の本発明に係る歩行者保護エアバッグ装置では、車両前後方向に沿ってテザーを設けたことにより、平面視で段差部のテザーが配設された部位が車両後方側へ凹んだ形状となる。これにより、この凹んだ部分にフードの後端角部が引っ掛かってフードの移動が抑制される。
【００１３】
請求項４に記載の本発明に係る歩行者保護エアバッグ装置は、請求項１に記載の発明において、前記フード係合部は、前記膨張展開状態で前記側方バッグ部の上面に固定されたポケットである。
【００１４】
請求項４に記載の本発明に係る歩行者保護エアバッグ装置では、歩行者との衝突に続いて車両が前面衝突した場合、衝突荷重を受けたフードの後端角部がポケットに入り込むことで、フードの移動が抑制される。
【発明の効果】
【００１５】
以上、説明したように、請求項１及び請求項２に係る発明によれば、エアバッグの膨張展開時にフードの車両後方への移動を抑制することができるという優れた効果を有する。
【００１６】
請求項３に係る発明によれば、特に、斜め衝突やオフセット前面衝突時にフードが平面視で回動しながら車両後方へ移動しようとするのを抑制することができるという優れた効果を有する。
【００１７】
請求項４に係る発明によれば、簡易な構造でフードの車両後方への移動を抑制することができ、且つ、手間をかけずにフード形状が異なる車種にも適用させることができるという優れた効果を有する。
【図面の簡単な説明】
【００１８】
【図１】第１実施形態に係る歩行者保護エアバッグ装置の要部を示す平面図であり、エアバッグが膨張展開された作動状態を示す図である。
【図２】図１の２−２線に沿った切断面を拡大して示す拡大断面図である。
【図３】第１実施形態に係るエアバッグが膨張展開された作動状態でフードに車両後方側への力が作用した状態を示す要部拡大平面図である。
【図４】第１実施形態に係る歩行者保護エアバッグ装置のエアバッグが収納された非作動状態における図１の４−４線に沿った切断面を拡大して示す拡大断面図である。
【図５】第１実施形態に係る歩行者保護エアバッグ装置が搭載された車両の前部を示す斜視図であり、エアバッグが膨張展開された作動状態を示す図である。
【図６】第２実施形態に係る歩行者保護エアバッグ装置の要部を示す平面図であり、エアバッグが膨張展開された作動状態を示す図である。
【図７】図６の７−７線に沿った切断面を拡大して示す拡大断面図である。
【発明を実施するための形態】
【００１９】
＜第１実施形態＞
以下、図１〜図５を参照して、本発明に係る歩行者保護エアバッグ装置の第１実施形態について説明する。なお、各図に適宜示される矢印ＦＲは車両前方側を示しており、矢印ＵＰは車両上方側を示しており、矢印ＲＨは車両幅方向の車両右側を示している。また、以下の説明で特記なく前後、上下、左右の方向を用いる場合は、車両前後方向の前後、車両上下方向の上下、進行方向を向いた場合の左右を示すものとする。
【００２０】
図５に示されるように、本発明に係る歩行者保護エアバッグ装置を備えた車両１２のエンジンルーム（パワーユニット室）１４の上方には、フード１６が設けられている。このフード１６の車両後方には、ウインドシールドガラス３０が配設されている。ウインドシールドガラス３０は、車両後方斜め上方へ向けて傾斜しており、このウインドシールドガラス３０の下部３０Ａがフード１６の後端部１６Ａに対して車両後方から対向している。
【００２１】
フード１６の前端部は、図示しないフードロックによって通常はロック状態とされている。また、フード１６の後端部１６Ａの車両幅方向両側には、図示しないフードヒンジが配設されている。フードヒンジは、車体に固定されるヒンジベースと、一端部がフードに固定されると共に他端部がヒンジベースにピン結合され、結合点回りに揺動可能とされたヒンジアームと、を含んで構成されている。さらに、フード１６の後端部１６Ａの車両幅方向両側には、歩行者との衝突時にフード１６の後端部１６Ａを上昇させるポップアップ装置１８が配設されている。なお、図５では、ポップアップ装置１８として、ガス発生手段が作動することにより上昇するロッド状の部材を図示しているが、これに限らず、他の構成を適用してもよい。例えば、リンク機構によってフード１６の後端部１６Ａをポップアップさせてもよい。
【００２２】
図４に示されるように、フード１６は、車両外側に配置されてフード１６の意匠面を形成するフードアウタパネル２０と、エンジンルーム１４側に配置されてフードアウタパネル２０を補強するフードインナパネル２２と、を含んで構成されている。また、フードインナパネル２２の後端部には、車両下方側へ膨らみ且つ車両幅方向に沿って延在する骨格部２３が形成されている。
【００２３】
骨格部２３は、フード１６の後端部１６Ａよりも車両前方側へオフセットした位置に形成されており、この骨格部２３によって、フードアウタパネル２０とフードインナパネル２２とからなる閉断面の一部がフード１６の後端側で車両下方側へ拡大されている。そして、この骨格部２３の車両後方側には、収納スペースが形成されており、この収納スペースに本実施形態に係る歩行者保護エアバッグ装置１０（以下、適宜「エアバッグ装置１０」と称する。）が配設されている。
【００２４】
（歩行者保護エアバッグ装置の構成）
エアバッグ装置１０は、エアバッグケース２４と、左右一対のインフレータ２６と、エアバッグ３４と、を含んで構成されている。また、エアバッグケース２４は、車両幅方向から見て車両前後方向に長尺な矩形の中空体状に形成されたケース本体部２４Ａと、ケース本体部２４Ａの前端部の下端部から車両前方側へ延びる固定部２４Ｂとによって構成されている。そして、この固定部２４Ｂがボルト４０及びウエルドナット４２によって骨格部２３の底壁２３Ａに締結固定されることにより、エアバッグケース２４がフード１６に取り付けられている。なお、本実施形態では一例として、エアバッグケース２４を金属で形成しているが、これに限らず、例えば、繊維強化樹脂（ＦＲＰ）などの樹脂材料で形成してもよい。
【００２５】
ケース本体部２４Ａは、上下の壁部が互いに略平行に配置されると共に、車両後方側の壁部が上下の壁部に対して略直角に配置されている。また、車両前方側の壁部は、車両後方側の壁部に対して、上方へ向かうにつれて接近するように配置されている。さらに、ケース本体部２４Ａの後端部の上側の角部には、Ｖ字状の溝が形成されることにより薄肉化されたティア部２４Ｃが形成されている。このティア部２４Ｃは、ケース本体部２４Ａの他の部位（一般部）よりも強度及び剛性が低くなっている。このため、後述するエアバッグ３４がエアバッグケース２４内で膨張し始めてティア部２４Ｃに加わる引張荷重が増加すると、ティア部２４Ｃが破断するように構成されている。
【００２６】
ケース本体部２４Ａの内部には、エアバッグ３４と、歩行者との衝突時に作動してガスを噴出するインフレータ２６と、が収納されている。エアバッグ３４は、一例として、二枚の基布の外周部を縫製することにより袋状に構成されており、蛇腹折りやロール折りなどの所定の折り畳み方によって折り畳まれた状態でエアバッグケース２４内に収納されている。
【００２７】
また、エアバッグ３４は、図１に示されるように、中央バッグ部３４Ａと側方バッグ部３４Ｂとを備えている。中央バッグ部３４Ａは、膨張展開した状態（膨張展開状態）で車両幅方向の中央部に配設されており、車両幅方向に沿ってウインドシールドガラス３０の下部３０Ａの前面を覆っている。一方、側方バッグ部３４Ｂは、中央バッグ部３４Ａと連通されており、膨張展開状態で中央バッグ部３４Ａの車両幅方向の両端部から車両後方且つ車両上方へ延在されており、左右一対のフロントピラー３１の少なくとも下部の前面を覆っている。また、側方バッグ部３４Ｂには、テザー２８が配設されており、このテザー２８によってフード係合部としての段差部３２が形成されている。段差部３２については後述する。
【００２８】
インフレータ２６は、車両幅方向に間隔をあけて左右に一対設けられており、車両幅方向を長手方向としてエアバッグケース２４内の前端部に配設されている。また、本実施形態のインフレータ２６は、一例として、所謂シリンダタイプのインフレータを採用しており、車両幅方向に間隔をあけて配設されている。ここで、図４に示されるように、左右のインフレータ２６にはそれぞれ、金属製の板材からなる取付ブラケット３６が接合されている。これらの取付ブラケット３６は、骨格部２３の下面側へ延びており、前述したボルト４０及びウエルドナット４２によって骨格部２３の底壁２３Ａに締結固定されている。これにより、左右のインフレータ２６が取付ブラケット３６を介してフード１６の骨格部２３に固定されている。
【００２９】
インフレータ２６の軸方向の一端部の軸芯部には、図示しないスクイブ（点火装置）が配設されており、インフレータ２６の内部には、燃焼することにより大量のガスを発生するガス発生剤が充填されている。このため、このインフレータ２６が発生させるガスの圧力でエアバッグ３４を車両後方側へ膨張展開できるように構成されている。
【００３０】
また、インフレータ２６の内部には、発生した高温のガスを冷却するためのクーラント及びガス発生剤が燃焼した際に生じる砕片を除去するためのフィルタ等が収容されている。なお、本実施形態のインフレータ２６は、ガス発生剤を用いるタイプのものであるが、高圧ガスが封入されたタイプのインフレータを用いてもよい。また、インフレータ２６の周壁部には、複数のガス噴出孔が形成されている。
【００３１】
さらに、インフレータ２６は、車体フロアの中央部に配設された図示しないコントローラ（エアバッグＥＣＵ）と接続されている。コントローラは、車両１２の前端部に車両幅方向を長手方向として配置された図示しないフロントバンパに配設された衝突検知センサ（図示省略）或いは衝突予知センサ（図示省略）と接続されている。衝突検知センサとしては、例えば、フロントバンパリインフォースメントの前面側にフロントバンパに沿って長尺状の圧力チューブ又は圧力チャンバ及び圧力センサを配置するチャンバ方式や光ファイバ方式等が適用可能である。また、衝突予知センサとしては、例えば、歩行者等の衝突体との衝突をミリ波レーダやステレオカメラを使って予知するプリクラッシュセンサ等が適用可能である。
【００３２】
次に、本実施形態に係るフード係合部としての段差部３２について説明する。図１に示されるように、段差部３２は、側方バッグ部３４Ｂにおけるフード１６の後端角部（後端部１６Ａの車両幅方向両端部の角部）３８と車両後方に対向する部位に設けられており、車両幅方向に延在されている。また、この段差部３２は、後端角部３８と係合する又は係合可能に構成されており、本実施形態では一例として、後端角部３８に段差部３２の一部が当接して係合可能に構成されている。なお、これに限らず、後端角部３８の車両後方側に隙間をあけて段差部３２を形成してもよい。
【００３３】
ここで、側方バッグ部３４Ｂの前端部には、側方バッグ部３４Ｂの上下を車両前後方向に沿って繋いだテザー２８が配設されており、このテザー２８によって段差部３２が形成されている。テザー２８は、図２に示されるように、側面視で略矩形状に形成されており、フード１６の後端部１６Ａの下方に配設されている。
【００３４】
また、テザー２８の上端部は、車両幅方向の一端側へ折り曲げられて側方バッグ部３４Ｂの上側の基布に結合されており、テザー２８の下端部は、車両幅方向の一端側へ折り曲げられて側方バッグ部３４Ｂの下側の基布に結合されている。このようにして、膨張展開状態における側方バッグ部３４Ｂの前方側の車両上下方向の厚みを減少させたことにより、側方バッグ部３４Ｂの車両前方側よりも車両後方側が高くなるように構成されている。なお、テザー２８の上下端部を折り曲げる方向については特に限定せず、テザー２８の上端部を車両幅方向の一端側へ折り曲げて、テザー２８の下端部を車両幅方向の他端側へ折り曲げてもよい。また、テザー２８の形状についても特に限定せず、例えば、側面視で略多角形状や略楕円状に形成してもよい。
【００３５】
さらに、図１に示されるように、テザー２８は、側方バッグ部３４Ｂの車両幅方向の中央部に設けられており、平面視でテザー２８の後端部の位置に段差部３２が形成されている。ここで、段差部３２は、平面視でテザー２８より車両幅方向外側に設けられて車両前方側へ膨らむ外側膨出部３２Ａと、テザー２８より車両幅方向内側に設けられて車両前方側へ膨らむ内側膨出部３２Ｂとを備えて二山になるように形成されている。このため、テザー２８の後端部が位置する部位は、車両後方側へ凹んだ形状とされている。また、フード１６の後端角部３８は、テザー２８より車両幅方向内側の内側膨出部３２Ｂに当接されている。
【００３６】
（作用並びに効果）
次に、本実施形態の作用並びに効果を説明する。
【００３７】
車両１２が歩行者と衝突する前の状態では、ポップアップ装置１８及びエアバッグ装置１０は非作動状態を維持している。すなわち、フード１６の後端部１６Ａは、車両上方へ上昇されておらず、エアバッグ３４は、図４に示されるように、エアバッグケース２４内に折り畳まれた状態で収納されている。
【００３８】
この状態から、歩行者と衝突すると、フロントバンパリインフォースメントに設けられた図示しない衝突検知センサによって歩行者と衝突したことが検知される。なお、プリクラッシュセンサやステレオカメラを用いて歩行者との衝突が予知された場合も同様である。これにより、図示しないコントローラによってポップアップ装置１８が作動され、フード１６の後端部１６Ａが車両上方側へ所定の高さまで上昇（ポップアップ）される（図５参照）。
【００３９】
また、フード１６の後端部１６Ａの上昇量が所定量に達すると、図示しないコントローラによってエアバッグ装置１０のインフレータ２６が作動される。このため、インフレータ２６のガス噴出部からガスが噴出され、ガスは折り畳まれた状態のエアバッグ３４内へ供給される。これにより、エアバッグ３４がエアバッグケース２４内で膨張し始め、エアバッグケース２４のティア部２４Ｃに加わる引張荷重が増加していく。そして、ティア部２４Ｃに加わる引張荷重が所定値に達すると、ティア部２４Ｃが破断し、エアバッグケース２４が後開き状に上下に展開する。
【００４０】
これにより、図１に示されるように、エアバッグ３４は、フード１６の後端部１６Ａとウインドシールドガラス３０の下部３０Ａとの間から車両後方側へ膨張展開される。そして膨張展開状態では、中央バッグ部３４Ａによってウインドシールドガラス３０の下部３０Ａの前面が覆われる。また、左右一対の側方バッグ部３４Ｂによってフロントピラー３１の少なくとも下部の前面が覆われて歩行者を保護する。
【００４１】
ここで、本実施形態の側方バッグ部３４Ｂには、フード１６の後端角部（後端部１６Ａの車両幅方向両端部の角部）３８と係合可能な段差部３２が設けられている。これにより、歩行者との衝突に続いて車両１２が前面衝突した場合、フード１６は、図３に示されるように、後端部１６Ａが上昇された状態で衝突荷重を受けて車両後方に移動しようとする。ここで、このフード１６の後端角部３８が段差部３２の内側膨出部３２Ｂに当接しているので、後端角部３８は、内側膨出部３２Ｂに沿って外側膨出部３２Ａと内側膨出部３２Ｂとの間の凹んだ部分に入り込む。これにより、フード１６の車両後方への移動を抑制することができる。
【００４２】
また、斜め衝突やオフセット前面衝突時には、フード１６の車両幅方向の一方側が車両後方へ移動するため、フード１６は、平面視で回動しながら後方へ移動しようとする。ここで、本実施形態では、車両前後方向に沿ってテザー２８を設けたことにより、上記の通り、段差部３２に車両後方側へ凹んだ部分が形成されている。これにより、この凹んだ部分にフード１６の後端角部３８が引掛かることで、フード１６の回動を抑制することができる。すなわち、フルラップ前面衝突に限らず、オフセット前面衝突、微小ラップ衝突、及び斜め衝突などの前面衝突時にもフード１６の車両後方への移動を抑制することができる。
【００４３】
なお、本実施形態では、テザー２８を車両前後方向に設けて段差部３２を形成したが、これに限らず、他の構造としてもよい。例えば、側方バッグ部３４Ｂを横切るように車両幅方向に沿ってテザーを設けることで段差部を形成してもよい。この場合、テザーを平面視で車両前方側が開放された略Ｖ字状や略Ｕ字状に配設すれば、段差部に車両後方へ凹んだ部分を形成することができる。このため、車両後方へ移動しようとするフード１６を引掛けてフード１６の車両後方への移動を確実に抑制することができる。また、側方バッグ部３４Ｂの上下の基布を縫製することによって段差部を形成してもよい。この場合、テザーを用いることなく段差部を形成することができる。さらに、膨張展開状態で段差部３２を備えた形状となるように基布を縫製することで側方バッグ部３４Ｂを形成してもよい。
【００４４】
また、本実施形態では、側方バッグ部３４Ｂのみにテザー２８を設けて段差部３２を形成したが、これに限らず、中央バッグ部３４Ａにもテザーを設けるなどして段差部を形成してもよい。この場合、側方バッグ部３４Ｂのみに段差部３２を形成した構成と比較して、より確実にフード１６の車両後方への移動を抑制することができる。さらに、本実施形態では、左右両側の側方バッグ部３４Ｂに段差部３２を形成したが、これに限らず、片方のみに段差部３２が形成された構成としてもよい。
【００４５】
＜第２実施形態＞
次に、図６、７を用いて、本発明に係る車両用歩行者保護エアバッグ装置の第２実施形態について説明する。なお、本実施形態に係る歩行者保護エアバッグ装置５０（以下、適宜「エアバッグ装置５０」と称する。）は、フード係合部としてポケット５２を設けた点を除いて前述した第１実施形態と同様の構成である。また、第１実施形態と同様の構成については、同じ符号を付し、説明を適宜省略する。
【００４６】
図６に示されるように、本実施形態のエアバッグ装置５０は、膨張展開状態で車両幅方向の中央部に配設されて車両幅方向の中央部に配設されてウインドシールドガラス３０の下部３０Ａの前面を覆う中央バッグ部３４Ａを備えている。また、中央バッグ部３４Ａの車両幅方向の両端部には、膨張展開状態で左右一対のフロントピラー３１の少なくとも下部の前面を覆う側方バッグ部３４Ｂが設けられている。ここで、側方バッグ部３４Ｂには、フード係合部としてのポケット５２が形成されている。
【００４７】
ポケット５２は、膨張展開状態で側方バッグ部３４Ｂの上面に縫製（固定）されており、平面視で略三角形状に形成されている。また、ポケット５２は、フード１６の後端角部３８と車両前後方向に対向する辺を除いて、縫製部５４によって縫製されている。これにより、ポケット５２は、後端角部３８側（車両前方側）が開口された形状となっており、図７に示されるように、ポケット５２の内部には、後端角部３８が収容可能な大きさの空間５６が形成されている。
【００４８】
一方、中央バッグ部３４Ａには、フード１６の後端部１６Ａに沿ってテザー５８が設けられている。テザー５８は、車両幅方向に間隔を開けて２つ配設されており、それぞれ車両幅方向に延在されている。そして、このテザー５８によって中央バッグ部３４Ａのフード１６の下面側に配設された部分の厚みが減少されている。
【００４９】
（作用並びに効果）
本実施形態のエアバッグ装置５０によれば、エアバッグ３４が膨張展開された状態で車両１２が前面衝突した場合、衝突荷重を受けたフード１６が車両後方へ移動すると、フード１６の後端角部３８がポケット５２の空間５６に入り込んで係止される。これにより、フード１６の回動や車両後方への移動を抑制することができる。
【００５０】
また、本実施形態では、側方バッグ部３４Ｂの表面にポケット５２を縫製するだけの簡易な構造でフード１６の車両後方への移動を抑制することができる。このため、例えば、既成のエアバッグを利用し、この既成エアバッグにポケット５２を縫製するだけで本発明の効果を得ることができる。さらに、ポケット５２の形状を変更すれば、フード１６の形状が異なる車種についてもフードの車両後方への移動を抑制することができる。
【００５１】
また、本実施形態では、中央バッグ部３４Ａにテザー５８を配設しているため、膨張展開状態でテザー５８より車両後方側の部位の方が高さ高くなり、フード１６の後端部１６Ａを係止する効果を期待することができる。さらに、テザー５８より車両前方側の部分、すなわち、中央バッグ部３４Ａのフード１６の下面側に配設された部分の厚みが減少されるため、歩行者の頭部などがフード１６の後端部１６Ａの上面に衝突した際に、中央バッグ部３４Ａからの反力が作用するのを阻止又は抑制することができる。
【００５２】
なお、本実施形態では、図６に示されるように、ポケット５２を平面視で略三角形状に形成したが、これに限らず、他の形状のポケットを形成してもよい。例えば、略半円状や略矩形状のポケットを形成してもよい。また、ポケット５２の大きさについても特に限定せず、例えば、側方バッグ部３４Ｂの膨張展開時における車両幅方向の寸法と略同一の幅のポケットを形成してもよい。
【００５３】
さらに、本実施形態では、ポケット５２を側方バッグ部３４Ｂの表面に縫製することによって固定したが、これに限らず、接着剤などで接着したり、溶着してもよい。また、第１実施形態の段差部３２と組み合わせてもよい。すなわち、図６において、側方バッグ部３４Ｂの上下を繋ぐテザーを設けてポケット５２の入り口部分に段差部を形成してもよい。
【００５４】
以上、本発明の第１実施形態及び第２実施形態に係る歩行者保護エアバッグ装置について説明したが、これらの実施形態を適宜組み合わせて用いても良いし、本発明の要旨を逸脱しない範囲において、種々なる態様で実施し得ることは勿論である。また、フード係合部は、段差部やポケット以外の構造を適用してもよく、例えば、側方バッグ部３４Ｂの上面に車両幅方向に沿ってリブを形成することによってフードの車両後方への移動を抑制してもよい。また、ポップアップ装置を備えていない車両に本発明を適用してもよく、例えば、エアバッグの膨張展開時の圧力でフードの後端部を上昇させる構成でもよい。
【符号の説明】
【００５５】
１０      歩行者保護エアバッグ装置
１６      フード
１６Ａ    後端部（フードの後端部）
２４      エアバッグケース
２６      インフレータ
２８      テザー
３０      ウインドシールドガラス
３０Ａ    下部（ウインドシールドガラスの下部）
３１      フロントピラー
３２      段差部（フード係合部）
３４      エアバッグ
３４Ａ    中央バッグ部
３４Ｂ    側方バッグ部
３８      後端角部
５０      歩行者保護エアバッグ装置
５２      ポケット（フード係合部）
【図１】
2015214310.tif 000003
【図２】
2015214310.tif 000004
【図３】
2015214310.tif 000005
【図４】
2015214310.tif 000006
【図５】
2015214310.tif 000007
【図６】
2015214310.tif 000008
【図７】
2015214310.tif 000009